(57)【要約】【課題】  行動計画が立てやすく、それに沿ってタイムマネージメントを行うことに習慣性を持たせることができる特にセールスマンに好適な手帳を提供する。【解決手段】  複数枚の日計単票用紙２２と、２つ折り可能な第１ないし第３の３枚の大判用紙１０，１５，１８と、達成目標書込用紙１３，１４とを含み、第１大判用紙１０の自由端側半頁１１の表面１１ａに年間カレンダーを印刷し、第２大判用紙１５の自由端側半頁１６の表面１６ａに将来計画立案書込欄を設け、その裏面１６ｂに単年度の年間スケジュール書込欄を設け、第３大判用紙１８の自由端側半頁１９の表面１９ａに月間カレンダーを印刷し、年間スケジュール書込欄，月間カレンダーおよび日計表を見開き状態で見通せるようにする。【選択図】  図１
2005022400.tif 000002
【特許請求の範囲】
【請求項１】
１日単位での記入欄を有する複数枚の日計単票用紙と、上記日計単票用紙のほぼ２倍の大きさで２つ折り可能な第１ないし第３の３枚の大判用紙と、上記日計単票用紙と同一の大きさで達成目標事項を書き込むための達成目標書込用紙とを少なくとも含み、所定の綴じ具により上記第１大判用紙，上記達成目標書込用紙，上記第２大判用紙，上記第３大判用紙および上記日計単票用紙の各用紙がこの順序で綴じられている手帳であって、
上記第１大判用紙の自由端側半頁の一方の面には年間カレンダーが印刷されており、上記第２大判用紙の自由端側半頁の一方の面には上記達成目標事項の達成予定スケジュールを書き込むための将来計画立案書込欄が設けられているとともに、上記第２大判用紙の自由端側半頁の他方の面には単年度の年間スケジュール書込欄が設けられており、上記第３大判用紙の自由端側半頁の一方の面には月間カレンダーが印刷されていることを特徴とする手帳。
【請求項２】
上記第１大判用紙の上記年間カレンダーには１２ヶ月分の枡が用意されており、その各枡には日にちを示す数字および／または記号が枡辺に沿って並べられており、上記各枡の中央部が空白とされていることを特徴とする請求項１に記載の手帳。
【請求項３】
上記第１大判用紙の上記年間カレンダーが複数年にわたって印刷されていることを特徴とする請求項１または２に記載の手帳。
【請求項４】
１頁に七曜日のスケジュール記入欄を含む週計単票用紙と、上記週計単票用紙のほぼ２倍の大きさで２つ折り可能な大判用紙とを少なくとも含み、所定の綴じ具により上記大判用紙および上記週計単票用紙がこの順序で綴じられている手帳であって、
上記大判用紙の自由端側半頁の一方の面は綴じ具側半頁の表面側に折り畳まれた際に上記週計単票用紙と見開き状態とされ、上記自由端側半頁の一方の面には月間カレンダーが印刷されており、上記月間カレンダーと上記週計単票用紙に記載されている七曜日のスケジュール記入欄とが突き合わせ状態で同時に視認可能であることを特徴とする手帳。
【請求項５】
上記月間カレンダーには当月の達成目標を仕事，家族，健康などの各テーマごとに書き込む目標書込欄が設けられていることを特徴とする請求項４に記載の手帳。
【請求項６】
上記大判用紙の綴じ具側半頁の表面側には上記七曜日のスケジュール記入欄と対応する日記欄が印刷されていることを特徴とする請求項４または５に記載の手帳。
【請求項７】
上記日記欄には当日の使途金を「投資」「消費」「浪費」の別に書き込む使途金書き込み欄が含まれている請求項６に記載の手帳。
【請求項８】
上記大判用紙の自由端側半頁は上記綴じ具側半頁の側辺，上辺もしくは下辺のいずれか一辺に連設されていることを特徴とする請求項４ないし７のいずれか１項に記載の手帳。
【請求項９】
名刺を収納する名刺収納部を備えている名刺ホルダを含み、所定枚数の上記名刺ホルダが綴じ具により綴じられている手帳であって、
上記名刺ホルダごとに、上記名刺収納部と１対１で対応するメモ欄を有する名刺管理表が上記綴じ具により綴じられていることを特徴とする手帳。
【請求項１０】
上記名刺ホルダには複数の上記名刺収納部が縦１列として配置されており、上記名刺管理表には上記メモ欄が上記名刺収納部の数だけ縦１列に形成されていることを特徴とする請求項９に記載の手帳。
【請求項１１】
上記名刺ホルダには複数の上記名刺収納部がｎ行×２列（ｎは正の整数）として配置されており、上記名刺管理表は上記名刺ホルダのほぼ半分の幅で、その表裏両面に上記名刺収納部と１対１で対応するメモ欄が縦１列に形成されていることを特徴とする請求項４に記載の手帳。
【発明の詳細な説明】
【技術分野】
【０００１】
本発明は、システム手帳（機能性手帳）などと呼ばれる部類に属する手帳に関し、さらに詳しく言えば、自分で行動計画を立ててそれに沿ってタイムマネージメントを行うことに習慣性を持たせることを意図した特にセールスマンに好適な手帳に関する。
【背景技術】
【０００２】
社会人のほとんどは手帳を携帯しているが、多くの手帳は、まず年間カレンダーがあって、その次に１月の月間カレンダーが綴じられ、その月間カレンダーの次に１ヶ月分の日計表が綴じられている。この綴じ方は、２月から１２月までも同様である。
【０００３】
しかしながら、従来の手帳では、日計表と月間カレンダーもしくは日計表と年間カレンダーを同時に見ることができないため、例えばスケジュールを決める場合、月間カレンダーや年間カレンダーを開いて話しをすすめ、そこに用件などを書き込んでしまうことがよくある。
【０００４】
これは、スケジュールが決まったとしても、今開いている月間カレンダーもしくは年間カレンダーから日計表にまで頁をめくることが煩わしいことによるもので、特に、片手で受話器を持って電話で話しをしながらスケジュールなどを決める場合によく見られる。このようなことから、従来の手帳では折角の日計表が余り活用されていない。
【０００５】
また、一部の大型手帳には名刺ホルダが付設されている。しかしながら、従来の名刺ホルダは名刺を単に整理・保管するためだけのものであって、例えばいつその人と会ったとか、次回のアポイント日はいつであるかなどを管理することまではできない。なお、その管理情報を名刺自体に書き込むにしても余白が限られているため細かな管理ができないばかりでなく、名刺が汚れてしまうので好ましくない。
【０００６】
特に、顧客と会う機会の多いセールスマンにとって手帳は重要である。なお、手帳に代わるツールとして、携帯情報端末やラップトップ型パソコンなどがあるが、目的とする画面に到達するまで何回かの操作をしなければならないという煩わしさがある。また、パソコンの場合、思い付いたことをすぐにメモ書きするにしても、その都度電源を立ち上げる操作が必要で、手帳のような簡便さはない。
【発明の開示】
【発明が解決しようとする課題】
【０００７】
したがって、本発明の第１の課題は、年間カレンダー，月間カレンダーおよび日計表を十分に活用できるようにして、行動計画が立てやすく、それに沿ってタイムマネージメントを行うことに習慣性を持たせることができる特にセールスマンに好適な手帳を提供することにある。また、本発明の第２の課題は、名刺による顧客管理を行える名刺ホルダを備えている手帳を提供することにある。
【課題を解決するための手段】
【０００８】
上記第１の課題を解決するため、請求項１に記載の発明は、１日単位での記入欄を有する複数枚の日計単票用紙と、上記日計単票用紙のほぼ２倍の大きさで２つ折り可能な第１ないし第３の３枚の大判用紙と、上記日計単票用紙と同一の大きさで達成目標事項を書き込むための達成目標書込用紙とを少なくとも含み、所定の綴じ具により上記第１大判用紙，上記達成目標書込用紙，上記第２大判用紙，上記第３大判用紙および上記日計単票用紙の各用紙がこの順序で綴じられている手帳であって、上記第１大判用紙の自由端側半頁の一方の面には年間カレンダーが印刷されており、上記第２大判用紙の自由端側半頁の一方の面には上記達成目標事項の達成予定スケジュールを書き込むための将来計画立案書込欄が設けられているとともに、上記第２大判用紙の自由端側半頁の他方の面には単年度の年間スケジュール書込欄が設けられており、上記第３大判用紙の自由端側半頁の一方の面には月間カレンダーが印刷されていることを特徴としている。
【０００９】
上記請求項１に記載の発明において、請求項２に記載のように上記第１大判用紙の上記年間カレンダーには１２ヶ月分の枡が用意されており、その各枡には日にちを示す数字および／または記号が枡辺に沿って並べられており、上記各枡の中央部が空白とされていることが好ましく、これによれば、その空白部分にも書込可能であるため年間カレンダーをより有効に活用することができる。また、請求項３に記載のように長期にわたっての将来の行動計画を立てやすくするため、上記年間カレンダーは複数年にわたって掲載されていることが好ましい。
【００１０】
また、上記第１の課題を解決するため、請求項４に記載の発明は、１頁に七曜日のスケジュール記入欄を含む週計単票用紙と、上記週計単票用紙のほぼ２倍の大きさで２つ折り可能な大判用紙とを少なくとも含み、所定の綴じ具により上記大判用紙および上記週計単票用紙がこの順序で綴じられている手帳であって、上記大判用紙の自由端側半頁の一方の面は綴じ具側半頁の表面側に折り畳まれた際に上記週計単票用紙と見開き状態とされ、上記自由端側半頁の一方の面には月間カレンダーが印刷されており、上記月間カレンダーと上記週計単票用紙に記載されている七曜日のスケジュール記入欄とが突き合わせ状態で同時に視認可能であることを特徴としている。
【００１１】
上記請求項４に記載の発明において、請求項５に記載のように上記月間カレンダーには当月の達成目標を仕事，家族，健康などの各テーマごとに書き込む目標書込欄が設けられていることが好ましい。また、請求項６に記載のように上記大判用紙の綴じ具側半頁の表面側には上記七曜日のスケジュール記入欄と対応する日記欄が印刷されていることが好ましく、さらには請求項７に記載のように上記日記欄には当日の使途金を「投資」「消費」「浪費」の別に書き込む使途金書き込み欄が含まれていることが好ましい。また、請求項８に記載のように上記大判用紙の自由端側半頁は上記綴じ具側半頁の側辺，上辺もしくは下辺のいずれか一辺に連設されていればよい。
【００１２】
上記第２の課題を解決するため、請求項９に記載の発明は、名刺を収納する名刺収納部を備えている名刺ホルダを含み、所定枚数の上記名刺ホルダが綴じ具により綴じられている手帳であって、上記名刺ホルダごとに、上記名刺収納部と１対１で対応するメモ欄を有する名刺管理表が上記綴じ具により綴じられていることを特徴としている。
【００１３】
上記請求項９に記載の発明には、請求項１０に記載のように上記名刺ホルダには複数の上記名刺収納部が縦１列として配置されており、上記名刺管理表には上記メモ欄が上記名刺収納部の数だけ縦１列に形成されている態様と、請求項１１に記載のように上記名刺ホルダには複数の上記名刺収納部がｎ行×２列（ｎは正の整数）として配置されており、上記名刺管理表は上記名刺ホルダのほぼ半分の幅で、その表裏両面に上記名刺収納部と１対１で対応するメモ欄が縦１列に形成されている態様とが含まれる。
【発明の効果】
【００１４】
請求項１に記載の発明によれば、年間カレンダー，月間カレンダーおよび日計表を十分に活用できるようにして行動計画が立てやすく、それに沿ってタイムマネージメントを行うことに習慣性を持たせることができる特にセールスマンに好適な手帳が提供される。
【００１５】
また、請求項４に記載の発明によれば、月間カレンダーと週計単票用紙に記載されている七曜日のスケジュール記入欄とを見開き状態で突き合わせることができるため、月間カレンダーに立てた当月の目標に基づいて日々の行動計画を立案することができる。
【００１６】
また、請求項９に記載の発明によれば、例えば見込み客の情報や、次回のアポイント管理を含めて契約至るまでを名刺管理表にて管理することができる名刺ホルダを備えている手帳が提供される。
【発明を実施するための最良の形態】
【００１７】
次に、図面を参照しながら、本発明の実施形態について説明するが、本発明はこれに限定されるものではない。図１は本発明による手帳の第１実施形態に係る模式図で、手帳を開いた状態で地側から見た側面を示している。
【００１８】
この例での手帳は、表紙１と背表紙２との間の背中３に綴じ具（バインダー）４を有するルーズリーフ形式の手帳で、綴じ方は左綴じである。綴じられる用紙のサイズは、小判サイズと大判サイズの２種類で、この例において小判サイズはＡ４判で大判サイズはＡ３判である。また、この手帳には巻末側には名刺ホルダ３０が綴じられている。
【００１９】
この例において、表紙１を開くと、まず最初に第１大判サイズ用紙１０が現れる。第１大判サイズ用紙１０は２つ折りとして綴じられており、その自由端側（反綴じ具側）の半頁１１の表面１１ａ側には、図２に示す年間カレンダー１００が印刷されている。図示しないが、第１大判サイズ用紙１０の綴じ具側の半頁１２の表面１２ａ側には、この手帳の例えば名称や販売元などが印刷されている。
【００２０】
年間カレンダー１００には、長期にわたっての行動計画などを立てやすくするため、複数年分の年間カレンダーが含まれていることが好ましく、この例では２００３年〜２００７年までの年間カレンダーが印刷されている。
【００２１】
各年間カレンダーは、１２ヶ月分（１２個分）の枡１０１を備えているが、各枡１０１内には日にちが記号と数字とで枡辺に沿って並べられている。この例では、５，１５，２５に当たる日が数字で表され、そのほかの日はドットで表されている。ドット表示のうち、平日は中黒ドット，日曜日は赤ベタドット，祝日は赤丸白抜きドット，振り替え休日は赤蛇の目ドットである。
【００２２】
このように、１ヶ月の日にちを記号と数字とで枡辺に沿って並べて枡内の中央部分を空白としたことにより、例えば重要事項や重要行事などを年間カレンダー１００内に書き込むことができる。また、年間カレンダー１００を複数年にわたって掲載することにより、一目で何年の何月には大型連休があるなどを知ることができるため、これに沿って将来の計画（例えば家族旅行など）を立てることが可能となる。
【００２３】
この例において、第１大判サイズ用紙１０の自由端側半頁１１の裏面１１ｂ側には、図３に示す「なんでもリスト」欄１１０が印刷されている。この「なんでもリスト」欄１１０は、自己の欲求すなわち、欲しいもの，したいこと，あるべき姿などを特に制限なく書き込む欄である。
【００２４】
また、第１大判サイズ用紙１０の綴じ具側半頁１２の裏面１２ｂには、図４に示す「（Ａ）欲しいものリスト」欄１２０ａが印刷されている。この「（Ａ）欲しいものリスト」欄１２０ａは、上記「なんでもリスト」欄１１０に書き込んだ「欲しいもの」を抜き出して記載する欄である。
【００２５】
この「（Ａ）欲しいものリスト」欄１２０ａでは、それがビジネスに関係するものなのか，健康に関係するものなのか，それとも趣味に関係するものなのかなどを区分（分類）するとともに、自分にとっての優先順位（達成順位）付けなどを行う。また、その欲しいものを得るに必要な費用（資金）とか、達成するためのヒントなどを書き込む。
【００２６】
第１大判サイズ用紙１０の次にはＡ４判サイズの２枚の単票用紙１３，１４が綴じられている。単票用紙１３の表面１３ａには、図５に示す「（Ａ）欲しいものリスト」欄１２０ｂが印刷されている。この「（Ａ）欲しいものリスト」欄１２０ｂは上記「（Ａ）欲しいものリスト」欄１２０ａの続き頁である。
【００２７】
単票用紙１３の裏面１３ｂには、図６に示す「（Ｂ）したいことリスト」欄１３０ａが印刷されている。この「（Ｂ）したいことリスト」欄１３０ａには、上記「なんでもリスト」欄１１０に書き込んだ「したいこと」の中から要素がそろえば達成できるであろう事柄を抜き出して転記する。この「（Ｂ）したいことリスト」欄１３０ａにおいても、上記「（Ａ）欲しいものリスト」欄１２０ａと同じくその項目を区分けし、また、優先順位付けを行う。
【００２８】
次の単票用紙１４の表面１４ａには、図７に示す「（Ｂ）したいことリスト」欄１３０ｂが印刷されている。この「（Ｂ）したいことリスト」欄１３０ｂでは、上記「（Ｂ）したいことリスト」欄１３０ａの続きで、それを達成するための具体的なスケジュールを立てる。
【００２９】
単票用紙１４をめくるとＡ３判サイズである第２大判サイズ用紙１５が現れる。第２大判サイズ用紙１５も２つ折りで、その自由端側半頁１６の表面には、図８に示す「フューチャーマップ」欄１５０が印刷されている。
【００３０】
この「フューチャーマップ」欄１５０では、自分と，自分に関係の深い人物，家族，仲間などの未来の年表を作成する。例えば、あと何年たったら子供が大学に進学するから、その費用はいくら必要かなどを書き込む。また、第２大判サイズ用紙１５の自由端側半頁１６の裏面１６ｂには、図１１に示す「年間スケジュール」欄１６０が印刷されている。
【００３１】
第２大判サイズ用紙１５の綴じ具側半頁１７の表面１７ａには、図９に示す「（Ｃ）成りたい姿リスト」欄１４０ａが印刷されている。この「（Ｃ）成りたい姿リスト」欄１４０ａには、上記「なんでもリスト」欄１１０に書き込んだ「成りたい姿」を転記する。例えば、よいお父さんになるなどと書き込む。ここでも、その項目を区分けし、また、優先順位を付ける。
【００３２】
なお、この頁１７と対向する単票用紙１４の裏面１４ｂには、図１０に示す「（Ｃ）成りたい姿リスト」欄１４０ｂが印刷されている。この「（Ｃ）成りたい姿リスト」欄１４０ｂは、上記「（Ｃ）成りたい姿リスト」欄１４０ａの中の優先順位の高いものを実現するための条件およびその優先順位などを書き込む。
【００３３】
本発明において、請求項に記載の達成目標書込用紙には、上記「なんでもリスト」欄１１０、「（Ａ）欲しいものリスト」欄１２０ａ，１２０ｂ、「（Ｂ）したいことリスト」欄１３０ａ，１３０ｂおよび「（Ｃ）成りたい姿リスト」欄１４０ａ，１４０ｂが含まれる。
【００３４】
第２大判サイズ用紙１５の次には同サイズの第３大判サイズ用紙１８が２つ折りとして綴じられている。この第３大判サイズ用紙１８の自由端側半頁１９の表面１９ａには、図１２に示す月間カレンダー１７０が印刷されている。この月間カレンダー１７０は七曜日形式の公知の態様であってよい。
【００３５】
なお、この例において、月間カレンダー１７０の下には、月間目標，月間活動費などの書込欄が設けられているが、これは任意である。また、第３大判サイズ用紙１８の綴じ具側半頁２０の表面２０ａは、月の区切りを示す意味での表紙となっており、図示しないが、例えば「〇〇年△月」などと大見出しが表示されていてよい。
【００３６】
この例において、第３大判サイズ用紙１８をめくるとＡ４判サイズの単票用紙２１が現れ、その表面２１ａには、図１３に示す「今月の目標設定」欄１８０が印刷されている。この「今月の目標設定」欄１８０には、上記（Ａ）〜（Ｃ）の各項目ごとに、その達成目標に記入する。
【００３７】
この「今月の目標設定」欄１８０を有する単票用紙２１の後に、１ヶ月分の枚数の単票用紙２２が連続して綴じられている。この各単票用紙２２の表面２２ａには日計表が印刷されており、一例として図１４に一日（ついたち）分の日計表１９０を示す。この日計表１９０は２日〜月末まで同一である。
【００３８】
次に、図１５ないし図２１を参照して、この手帳の使い方の一例について説明する。まず、第１大判サイズ用紙１０の自由端側半頁１１の裏面１１ｂ側にある図３の「なんでもリスト」欄１１０を開いて、現在自分が欲しいものを具体的に書き出す。
【００３９】
それが終わったら、図１６に示すように、「なんでもリスト」欄１１０と「フューチャーマップ」欄１５０を広げ、それらの間で「（Ａ）欲しいものリスト」欄１２０ａ，１２０ｂ、「（Ｂ）したいことリスト」欄１３０ａ，１３０ｂおよび「（Ｃ）成りたい姿リスト」欄１４０ａ，１４０ｂを適宜めくりながら、これらの各欄に「なんでもリスト」欄１１０の各項目を分類し、かつ、優先順位付けして転記するとともに、その達成スケジュールを「フューチャーマップ」欄１５０に書き込む。
【００４０】
また必要に応じて、第２大判サイズ用紙１５を折り畳んで、図１７に示すように、「なんでもリスト」欄１１０と「フューチャーマップ」欄１５０とを並べて、「なんでもリスト」欄１１０に書き込んだ所定の事柄について、その将来計画を「フューチャーマップ」欄１５０に記載する。
【００４１】
次に第１大判サイズ用紙１０を折り畳んで、図１８に示すように、年間カレンダー（この例では５年間カレンダー）１００を表に出し、「（Ａ）欲しいものリスト」欄１２０ａ，１２０ｂ、「（Ｂ）したいことリスト」欄１３０ａ，１３０ｂおよび「（Ｃ）成りたい姿リスト」欄１４０ａ，１４０ｂの中から優先順位の高い項目の達成期日を年間カレンダー１００に記入する。
【００４２】
次に、第２大判サイズ用紙１５を折り畳んで、図１９に示すように、年間カレンダー１００と「年間スケジュール」欄１６０とを並べて、今年一年間の工程表を作成したのち、第２大判サイズ用紙１５を広げて、図２０に示すように、「年間スケジュール」欄１６０，月間カレンダー１７０および「今月の目標設定」欄１８０を並べる。
【００４３】
そして、「年間スケジュール」欄１６０に書き込まれている今月のやるべきことを月間カレンダー１７０と「今月の目標設定」欄１８０とに書き込む。この場合、「今月の目標設定」欄１８０には上記（Ａ）〜（Ｃ）の各項目ごとに優先順位の高いものから書き込む。
【００４４】
この作業が済んだら、「今月の目標設定」欄１８０が記載されている単票用紙２１を第３大判サイズ用紙１８の折り内に差し込んで、図２１に示すように、月間カレンダー１７０と日計表１９０とを見開き状態として、月間カレンダー１７０に記載されている当日のやるべきことを優先順位を付けながら日計表１９０に書き込んでタイムスケジュールを作成する。
【００４５】
なお、次の日には前日の日計表１９０を第３大判サイズ用紙１８の折り内に差し込んで当日の日計表１９０を月間カレンダー１７０と見開き状態として、同じ作業を行う。また、必要に応じて第１大判サイズ用紙１０を開くことにより、月間カレンダー１７０に加えて年間カレンダー１００をも見ることができる。
【００４６】
以上で、一連の作業が終了するのであるが、この手帳によれば、何でも思い付いたことを書き込んで、それを（Ａ）欲しいもの，（Ｂ）したいこと，（Ｃ）成りたい姿のいずれかに優先順位を付けて分類し、年間カレンダー１００や月間カレンダー１７０，フューチャーマップ１５０などに書き込んでおくことにより、長期，短期にわたっての将来の行動計画を立てることができる。また、月間カレンダー１７０と日計表１９０とが見開きとなっていて、その両方を同時に見ることができるため、日計表１９０を十分に活用することができる。
【００４７】
次に、図２２および図２３を参照して、この手帳が備える名刺ホルダ３０について説明する。図２２（ｂ）に示すように、この例での名刺ホルダ３０は４行２列の名刺収納部を有している。すなわち、右列３１と左列３２の各々には、５つの名刺収納部３１ａ〜３１ｅ；３２ａ〜３２ｅが含まれている。なお、名刺収納部の態様は、例えばポケット式や差し込み式など任意であってよい。
【００４８】
本発明は、名刺ホルダ３０に収納された名刺を管理するための名刺管理表４０を備えている。この名刺管理表４０は、図２２（ａ）に示すように、名刺ホルダ３０の上に配置された状態で、名刺ホルダ３０とともに綴じ具４により綴じられる。
【００４９】
名刺管理表４０は、名刺ホルダ３０のほぼ半分の幅（この例では上記左列３２の幅とほぼ等しい幅）で、その表面４０１と裏面４０２には上記名刺収納部と１対１で対応するメモ欄４１ａ〜４１ｅが縦１列に印刷されている。図２３に表面４０１側のメモ欄４１ａ〜４１ｅを示す。裏面４０２側のメモ欄は表面４０１側と同一である。
【００５０】
この例において、各メモ欄４１ａ〜４１ｅには、顧客の素質や営業成功の見込み，それに面会した日や次回のアポイント日時などを書き込めむための枠取りが設けられているが、この点の構成は任意であってよい。いずれにしても、この名刺管理表４０によれば、見込み客の情報や、次回のアポイント管理を含めて契約まで管理することができる。
【００５１】
図２２（ａ）に示すように、名刺管理表４０を名刺ホルダ３０上に重ねた場合には、表面４０１側のメモ欄４１ａ〜４１ｅが右列３１の名刺収納部３１ａ〜３１ｅに対応し、図２２（ｂ）に示すように、名刺ホルダ３０に対して名刺管理表４０を見開き状態とした場合には、裏面４０２側のメモ欄４１ａ〜４１ｅが左列３２の名刺収納部３２ａ〜３２ｅに対応する。
【００５２】
例えば、右列３１の名刺収納部３１ｂに入っている名刺の人のことを管理する場合には、図２２（ａ）に示すように名刺管理表４０を名刺ホルダ３０上に重ねて表面４０１側のメモ欄４１ｂに次回のアポイント日時などを書き込む。これに対して、左列３２の名刺収納部３２ａに入っている名刺の人のことを管理する場合には、図２２（ｂ）に示すように名刺ホルダ３０に対して名刺管理表４０を見開き状態とし、裏面４０２側のメモ欄４１ａに同じく次回のアポイント日時などを書き込む。
【００５３】
なお、この例では１枚の名刺ホルダ３０につき、１枚の名刺管理表４０を配置しているが、名刺管理表４０を名刺ホルダ３０の各列に含まれている名刺収納部の数に分割（上記の例で言えば５枚に分割）するかもしくはミシン目などにより分割可能として、その各々を別々に取り外し可能とすることもできる。この態様は例えば綴じ具４の穴数を増やすことにより実現できる。このようにすることにより、名刺を差し替えた場合、それに対応する名刺管理表４０のみを新しいものに交換すればよいことになる。
【００５４】
上記の例では名刺ホルダ３０に名刺収納部が右列３１と左列３２の縦２列として配置されているが、名刺収納部が縦１列しかない場合（右列３１もしくは左列３２のいずれか一方しかない場合）にも上記名刺管理表４０を使用することができる。
【００５５】
すなわち、右列３１しかない場合には図２２（ａ）に示すように表面４０１側のメモ欄のみを使用すればよい（この場合、裏面４０２側のメモ欄はなくてもよい）。また、左列３２にしかない場合には図２２（ｂ）に示すように裏面４０２側のメモ欄のみを見開いた状態で使用すればよい（この場合、表面４０１側のメモ欄はなくてもよい）。
【００５６】
なお、名刺収納部が右列３１しかないが、その右列３１の表裏両面に名刺収納部が設けられている場合には、上記名刺管理表４０の表面４０１側のメモ欄と裏面４０２側のメモ欄の両方を使用すればよい。
【００５７】
すなわち、図２２（ａ）に示す右頁にある右列３１の表面側の名刺収納部内の名刺については上記名刺管理表４０の表面４０１側のメモ欄で管理し、図２２（ｂ）に示す左頁ある右列３１の裏面側の名刺収納部内の名刺については上記名刺管理表４０の裏面４０２側のメモ欄で管理すればよい。
【００５８】
これ以外に、本発明には名刺ホルダ３０に名刺収納部が一つだけ設けられている場合も含まれる。すなわち、この場合には名刺ホルダ１枚につき１枚の名刺管理表が割り当てられることになる。
【００５９】
次に、図２４ないし図２８を参照して本発明による手帳の第２実施形態について説明する。図２４に示すように、この第２実施形態に係る手帳も上記第１実施形態と同じく、表紙１と背表紙２との間の背中３に綴じ具（バインダー）４を有するルーズリーフ式の手帳で綴じ方は左綴じである。綴じられる用紙のサイズは小判サイズと大判サイズの２種類であり、この第２実施形態において小判サイズはＡ５判で大判サイズはＡ５判の２倍の大きさのＡ４判である。
【００６０】
図２４にはスケジュール管理用の要部頁しか示されていないが、綴じ具４には月間スケジュール用の１枚の大判サイズ用紙５０と週計スケジュール用の複数枚の小判サイズ用紙６０とが綴じられており、表紙１を開くと最初に大判サイズ用紙５０が現れる。
【００６１】
この大判サイズ用紙５０には、綴じ具側半頁５１と自由端側（反綴じ具側）半頁５２とが含まれている。自由端側半頁５２は谷折り線５０ａにより綴じ具側半頁５１の表面５１ａ側に重ねられ、このとき表面側となる自由端側半頁５２の一方の面５２ａには図２５に例示する月間カレンダー５２０が印刷されている。
【００６２】
月間カレンダー５２０は各日にちごとに書き込み用の升目を有する公知の形態であってよいが、月間カレンダー５２０の余白部には今月（当月）の達成目標を書き込む目標書込欄５２１が設けられている。
【００６３】
この例において、目標書込欄５２１は５テーマ，すなわち「仕事」「家族」「健康」「学び」「遊び」の各テーマごとに区切られており、その各々について達成目標を立てやすくしている。また、目標書込欄５２１の脇には各テーマごとに当月のルーチンとして例えば毎日実行すべき事柄を書き込む実行欄５２２が付設されている。
【００６４】
また、自由端側半頁５２の他方の面５２ｂには、図２６に示すように当月の成長メモリとして当月に起こった印象深い事項などを書き込むメモリ欄５２３が印刷されている。この例において、メモリ欄５２３には「出逢った人」「初めての場所・もの」「心にふれた言葉」「仲間達への感謝」「今月感動したこと」「？／止まれ」「今月達成したビジョン」それに「新しく生まれたビジョン」などと題する記入欄が含まれている。このうち「？／止まれ」の欄には疑問に思ったことや自分の行動をやめた理由などを書き込む。
【００６５】
綴じ具側半頁５１の表面５１ａには、図２６に示すように上記メモリ欄５２３と並べて日記欄５２４が印刷されている。日記欄５２４は後述する七曜日のスケジュール記入欄と対応して月曜日〜日曜日までの各欄に仕切られておりその日の出来事などを記入する。また、日記欄５２４には当日の使途金を「投資」「消費」「浪費」の別に書き込む使途金書き込み欄５２５が含まれている。
【００６６】
ここで「投資」にはビジョン実現に要した費用や健康維持など自分に採ってプラスになる出費が含まれ、「消費」は必要なものへの出費であり、「浪費」は無駄だったと思われる出費のことを言う。なお、綴じ具側半頁５１の裏面５１ｂには、月を表す表示（この例では２００４年４月）やこの手帳の例えば名称や販売元などが印刷されていてよい。
【００６７】
上記大判（Ａ４判）サイズ用紙５０に続いて、週計スケジュール用の小判（Ａ５判）サイズ用紙６０として１ヶ月分計５枚の週計単票用紙６１〜６５が綴じられている。図２６に最初（第１頁目）の週計単票用紙６１の表面６１ａ（大判サイズ用紙５０と対向する側の面）を大判サイズ用紙５０とともに見開いた状態を示す。
【００６８】
この第１頁目の週計単票用紙６１は第１週用のもので、その表面６１ａには月曜日〜日曜日までを含む七曜日のスケジュール記入欄６１１が印刷されている。この七曜日のスケジュール記入欄６１１は上記綴じ具側半頁５１の表面５１ａに印刷されているメモリ欄５２３と合わせて使用される。各曜日の記入欄は午前（ＡＭ）と午後（ＰＭ）とに仕切られており、各月に共通して使用可能とするため日にち欄は空欄となっている。
【００６９】
第２頁目の週計単票用紙６２は第２週用のもので、その表面６２ａには上記七曜日のスケジュール記入欄６１１と同様のスケジュール記入欄が印刷されており、上記表面６２ａと対向する第１頁目の週計単票用紙６１の裏面６１ｂには上記メモリ欄５２３と同様のメモリ欄が印刷されている。
【００７０】
第３頁目の週計単票用紙６３は第３週用のもので、その表面６３ａには上記七曜日のスケジュール記入欄６１１と同様のスケジュール記入欄が印刷されており、上記表面６３ａと対向する第２頁目の週計単票用紙６２の裏面６２ｂには上記メモリ欄５２３と同様のメモリ欄が印刷されている。
【００７１】
第４頁目の週計単票用紙６４は第４週用のもので、その表面６４ａには上記七曜日のスケジュール記入欄６１１と同様のスケジュール記入欄が印刷されており、上記表面６４ａと対向する第３頁目の週計単票用紙６３の裏面６３ｂには上記メモリ欄５２３と同様のメモリ欄が印刷されている。
【００７２】
第５頁目の週計単票用紙６５は第５週用のもので、その表面６５ａには上記七曜日のスケジュール記入欄６１１と同様のスケジュール記入欄が印刷されており、上記表面６５ａと対向する第４頁目の週計単票用紙６４の裏面６４ｂには上記メモリ欄５２３と同様のメモリ欄が印刷されている。なお、この週計単票用紙６５の裏面６５ｂはブランクとされている。
【００７３】
以上、２００４年４月分のスケジュール表について説明したが、同様の構成で１月〜１２月分までが綴じ具４に綴じられて使用される。次に、この第２実施形態に係る手帳の使用例について説明する。
【００７４】
第１週目であるとすると、図２７に示すように第１頁目の週計単票用紙６１を開いてその表面６１ａに印刷されている七曜日のスケジュール記入欄６１１を表に出すとともに、大判サイズ用紙５０の自由端側半頁５２を綴じ具側半頁５１の上に重ねてその一方の面５２ａに印刷されている月間カレンダー５２０を表に出す。
【００７５】
すなわち、月間カレンダー５２０と第１週目の七曜日のスケジュール記入欄６１１とを見開き状態とする。これにより、月，週，日，時間を同一頁内で見ることができ、月間カレンダー５２０にあらかじめ書き込んだ目標にしたがって週単位および日単位さらには時間単位で行動計画を立てる。その際、月間カレンダー５２０に付設されているテーマごとの目標書込欄５２１および当月のルーチン実行欄５２２を毎日チェックすることが好ましい。
【００７６】
次に、日々の行動を記入する場合には、図２７の状態から大判サイズ用紙５０の自由端側半頁５２を開いて図２６に示すように自由端側半頁５２の他方の面５２ｂにあるメモリ欄５２３と綴じ具側半頁５１の表面５１ａにある日記欄５２４とを第１週目の七曜日のスケジュール記入欄６１１に対して見開き状態としてその日の出来事などを記入する。
【００７７】
第２週目の行動計画を立てる場合には、図２６の状態から第１頁目の週計単票用紙６１をめくって綴じ具側半頁５１の表面５１ａ側に重ねて、図２８に示すように週計単票用紙６１の裏面６１ｂにある日記欄５２４と第２頁目の週計単票用紙６２の表面６２ａにある七曜日のスケジュール記入欄６１１とを表に出す。
【００７８】
そして、さらにその日記欄５２４の上に大判サイズ用紙５０の自由端側半頁５２を重ねて図２７と同じく月間カレンダー５２０と第２頁目の週計単票用紙６２の表面６２ａにある七曜日のスケジュール記入欄６１１とを見開き状態とすればよい。日々の行動を記入する場合には、上記と同じく図２７の状態から大判サイズ用紙５０の自由端側半頁５２を開いて図２６の状態とする。第３週目以降も同じ手順で行動計画を立てる。
【００７９】
なお、上記の第２実施形態では大判サイズ用紙５０の自由端側半頁５２を綴じ具側半頁５１の側辺（綴じ具４側と対向する側辺）に谷折り線を介して連設するようにしているが、自由端側半頁５２を綴じ具側半頁５１の上辺もしくは下辺側に谷折り線を介して連設してもよく、図２９に自由端側半頁５２を綴じ具側半頁５１の上辺側に連設した場合の例を示す。この変形例は上記第１実施形態の大判サイズ用紙にも適用されてよい。
【００８０】
また、上記第２実施形態に係る手帳に上記第１実施形態で説明した年間カレンダーを含む年間スケジュール表および名刺管理表を含む名刺ホルダを備えさせてもよいことはもちろんである。
【図面の簡単な説明】
【００８１】
【図１】本発明の第１実施形態に係る手帳を開いた状態で地側から見た側面を示す模式図。
【図２】上記手帳に設けられている年間カレンダーの説明図。
【図３】上記手帳に設けられている「何でもリスト」欄の説明図。
【図４】上記手帳に設けられている「（Ａ）欲しいものリスト」欄の説明図。
【図５】上記手帳に設けられている「（Ａ）欲しいものリスト」欄の説明図。
【図６】上記手帳に設けられている「（Ｂ）したいことリスト」欄の説明図。
【図７】上記手帳に設けられている「（Ｂ）したいことリスト」欄の説明図。
【図８】上記手帳に設けられている「フューチャーマップ」欄の説明図。
【図９】上記手帳に設けられている「（Ｃ）成りたい姿リスト」欄の説明図。
【図１０】上記手帳に設けられている「（Ｃ）成りたい姿リスト」欄の説明図。
【図１１】上記手帳に設けられている「年間スケジュール」欄の説明図。
【図１２】上記手帳に設けられている月間カレンダーの説明図。
【図１３】上記手帳に設けられている「今月の目標設定」欄の説明図。
【図１４】上記手帳に設けられている日計表の説明図。
【図１５】上記手帳の使用例の説明図。
【図１６】上記手帳の使用例の説明図。
【図１７】上記手帳の使用例の説明図。
【図１８】上記手帳の使用例の説明図。
【図１９】上記手帳の使用例の説明図。
【図２０】上記手帳の使用例の説明図。
【図２１】上記手帳の使用例の説明図。
【図２２】上記手帳に設けられている名刺ホルダの説明図。
【図２３】上記名刺ホルダに付設される名刺管理表の説明図。
【図２４】本発明の第２実施形態に係る手帳を開いた状態で地側から見た側面を示す模式図。
【図２５】上記第２実施形態における月間カレンダーを示す説明図。
【図２６】上記第２実施形態において大判サイズ用紙と週計単票用紙とを見開いた状態を示す説明図。
【図２７】上記第２実施形態において月間カレンダーと七曜日のスケジュール記入欄と見開いた状態を示す説明図。
【図２８】上記第２実施形態において日記欄と七曜日のスケジュール記入欄と見開いた状態を示す説明図。
【図２９】上記大判サイズ用紙の折り畳み方の変形例を示す斜視図。
【符号の説明】
【００８２】
１  表紙
２  背表紙
３  背中
４  綴じ具
１０  第１大判サイズ用紙
１５  第２大判サイズ用紙
１８  第３大判サイズ用紙
１３，１４，２１，２２  小判チイズの単票用紙
１００  年間カレンダー
１１０  何でもリスト欄
１２０ａ，１２０ｂ  欲しいものリスト欄
１３０ａ，１３０ｂ  したいことリスト欄
１４０ａ，１４０ｂ  成りたい姿リスト欄
１５０  フューチャーマップ欄
１６０  年間スケジュール欄
１７０  月間カレンダー
１８０  今月の目標設定欄
１９０  日計表
３０  名刺ホルダ
４０  名刺管理表
５０  大判サイズ用紙
５１  綴じ具側半頁
５２  自由端側半頁
５２０  月間カレンダー
５２３  メモリ欄
５２４  日記欄
６０  小判サイズ用紙
６１〜６５  週計単票用紙
６１１  七曜日のスケジュール記入欄
【図１】
2005022400.tif 000003
【図２】
2005022400.tif 000004
【図３】
2005022400.tif 000005
【図４】
2005022400.tif 000006
【図５】
2005022400.tif 000007
【図６】
2005022400.tif 000008
【図７】
2005022400.tif 000009
【図８】
2005022400.tif 000010
【図９】
2005022400.tif 000011
【図１０】
2005022400.tif 000012
【図１１】
2005022400.tif 000013
【図１２】
2005022400.tif 000014
【図１３】
2005022400.tif 000015
【図１４】
2005022400.tif 000016
【図１５】
2005022400.tif 000017
【図１６】
2005022400.tif 000018
【図１７】
2005022400.tif 000019
【図１８】
2005022400.tif 000020
【図１９】
2005022400.tif 000021
【図２０】
2005022400.tif 000022
【図２１】
2005022400.tif 000023
【図２２】
2005022400.tif 000024
【図２３】
2005022400.tif 000025
【図２４】
2005022400.tif 000026
【図２５】
2005022400.tif 000027
【図２６】
2005022400.tif 000028
【図２７】
2005022400.tif 000029
【図２８】
2005022400.tif 000030
【図２９】
2005022400.tif 000031